(57)【要約】【課題】  中間ピラーのシートベルト機構の収容性や衝撃吸収性を損なうことなく、中間ピラー内にハーネスを支障なく配設できるようにする。【解決手段】  ピラーインナパネル３とピラートリム２２とで形成されるトリム空間２５内に衝撃吸収作用を有するリブＲが配置されてなる中間ピラー２０の前記トリム空間内に、カーテンエアバッグのインフレータ１２へ信号を供給するハーネスＷを配設する車両用ハーネス配設構造であって、ピラーインナパネル上にシートベルト装置のアジャスタユニット３０が設置され、該アジャスタユニットは、ウエビング支持用のＤリング３１とその上下位置調整機構４０とを備えており、前記ハーネスは、上下位置調整機構とピラーインナパネルとの間で上下方向に延びるとともに、リブとの干渉を回避する所定空間部を通りながら全体として上下方向に配設されることを特徴とする。【選択図】図２
2008247238.tif 000002
【特許請求の範囲】
【請求項１】
車体の中間ピラー部を構成するピラー構造体と、該ピラー構造体を車室内から覆うピラートリムとの間の空間内に、乗員がピラートリムに当接した際の衝撃を吸収する衝撃吸収材が配置されてなる中間ピラーの前記空間内に、車載部品へ信号を供給するハーネスを配設する車両用ハーネス配設構造であって、
前記ピラー構造体には、座席に着座した乗員を拘束可能なシートベルト装置のウエビングを支持するアンカー部材が設置され、
該アンカー部材は、ウエビングを挿通させて支持するウエビング支持部と、上下方向に延び前記ウエビング支持部の上下方向位置を調整可能とするガイド部とを備えており、
前記ハーネスは、前記ガイド部と前記ピラー構造体との間で上下方向に延設されとともに、前記衝撃吸収材との干渉を回避する所定空間部を通りながら全体として上下方向に配設される、
ことを特徴とする車両用ハーネス配設構造。
【請求項２】
前記ガイド部は、乗員が当該ガイド部または前記ウエビング支持部に当接した際に、車室外方へ変位して衝撃吸収可能となるように、前記ピラー構造体から所定距離以上離間して設置されることを特徴とする請求項１に記載の車両用ハーネス配設構造。
【請求項３】
前記ピラートリムは合成樹脂製であり、前記衝撃吸収材はこの合成樹脂製のピラートリムと一体的に形成される一方、前記ガイド部は金属製であることを特徴とする請求項１又は２に記載の車両用ハーネス配設構造。
【請求項４】
前記ピラートリムは、互いに別体に形成された上部トリムと下部トリムとで構成され、
前記アンカー部材は、ピラー構造体の前記上部トリムが覆う部分に設置されており、
前記ウエビングは、前記下部トリムと上部トリムとの連結部またはその近傍に形成された開口を介して、ピラートリムとピラー構造体との間の前記空間から車室内に延出し、前記上部トリムよりも車室側を上部トリムの長手方向に沿って前記ウエビング支持部まで延びる、
ことを特徴とする請求項１から３の何れか一に記載の車両用ハーネス配設構造。
【請求項５】
前記車載部品は、車体ルーフ及びその近傍に設置され、車両が所定条件のときに乗員保護用エアバッグを展開させるエアバッグ装置であることを特徴とする請求項１から４の何れか一に記載の車両用ハーネス配設構造。
【発明の詳細な説明】
【技術分野】
【０００１】
本発明は、車両用ハーネス配設構造、特に、ピラー構造体とピラートリムとの間の空間内に衝撃吸収材が配置されてなる中間ピラー内にハーネスを配設するハーネス配設構造に関する。
【背景技術】
【０００２】
近年では、車両の側突時あるいは横転時に車室内の乗員を保護するために、車室内の側部にエアバッグ本体をカーテン状に展開膨張させる、所謂カーテンエアバッグ装置は一般に良く知られており（例えば、特許文献１，２参照）、一部においては既に実用に供されている。
【０００３】
このカーテンエアバッグ装置の場合、運転席や助手席に設けられるエアバッグ装置に比して、広範囲にエアバッグを展開膨張させる必要があり、また、特に、横転時や横転予知時にエアバッグを作動させる横転対応のものにあっては、エアバッグの中心側の上部からガスを供給して早期にエアバッグを展開させるために、ガスを供給するインフレータを、例えば最後部ピラーの上部などに配置することが提案されている。
【０００４】
一方、エアバッグ装置などを含む車載部品の作動を制御する制御ユニットは、例えば運転席と助手席の間のフロア部分などに配置されるのが一般的である。前述のように、インフレータが最後部ピラーの上部に配置されている場合、制御ユニットからインフレータに対して作動信号を供給するハーネスは、最後部ピラーを経由して配設されることになる。
【特許文献１】特開２００６−１６８６７１号公報
【特許文献２】特開２００５−３２４５８６号公報
【発明の開示】
【発明が解決しようとする課題】
【０００５】
ところで、カーテンエアバッグ全体を迅速かつ均等に展開膨張させるためには、通常その上部中央に設けられているガス供給口にできるだけ近い位置にインフレータを配置することが好ましい。このため、ルーフ側部で車体前後方向に延びるルーフサイドレールの前後方向中央にできるだけ近い部位に、インフレータを配置することが考えられる。この場合、従来のように最後部ピラーを経由してハーネスを配設したのでは、高価なハーネスの配設長さが非常に長くなり、またハーネス等の取付作業性も悪化し、コストが嵩むという問題がある。
【０００６】
このため、インフレータと制御ユニットの双方に最も近い中間ピラーを経由してハーネスを配設できれば、ハーネス長さを短くでき非常に好都合である。このように、エアバッグ装置などを含む車載部品へ信号を供給するハーネスを、中間ピラーを利用して支障なく配設できるようにすることが望まれている。
【０００７】
しかしながら、中間ピラーは、最後部ピラーに比し幅が狭くて内部空間も余裕に乏しく、しかも、運転席用あるいは助手席用のシートベルト装置の一部機構を収容する必要があり、また、乗員の特に頭部などがぶつかった際の衝撃を吸収するための衝撃吸収材も内部に備えることが求められる。従って、この中間ピラーを経由してハーネスを配設することは、なかなかに難しいという問題があった。
【０００８】
この発明は、かかる技術的課題に鑑みてなされたもので、中間ピラーのシートベルト機構の収容性や衝撃吸収性を損なうことなく、中間ピラー内にハーネスを支障なく配設できるようにすることを目的とする。
【課題を解決するための手段】
【０００９】
このため、本願の第１の発明は、車体の中間ピラー部を構成するピラー構造体と、該ピラー構造体を車室内から覆うピラートリムとの間の空間内に、乗員がピラートリムに当接した際の衝撃を吸収する衝撃吸収材が配置されてなる中間ピラーの前記空間内に、車載部品へ信号を供給するハーネスを配設する車両用ハーネス配設構造であって、
前記ピラー構造体には、座席に着座した乗員を拘束可能なシートベルト装置のウエビングを支持するアンカー部材が設置され、該アンカー部材は、ウエビングを挿通させて支持するウエビング支持部と、上下方向に延び前記ウエビング支持部の上下方向位置を調整可能とするガイド部とを備えており、前記ハーネスは、前記ガイド部と前記ピラー構造体との間で上下方向に延設されとともに、前記衝撃吸収材との干渉を回避する所定空間部を通りながら全体として上下方向に配設される、ことを特徴としたものである。
【００１０】
また、本願の第２の発明は、前記第１の発明において、前記ガイド部は、乗員が当該ガイド部または前記ウエビング支持部に当接した際に、車室外方へ変位して衝撃吸収可能となるように、前記ピラー構造体から所定距離以上離間して設置される、ことを特徴としたものである。
【００１１】
更に、本願の第３の発明は、前記第１又は第２の発明において、前記ピラートリムは合成樹脂製であり、前記衝撃吸収材はこの合成樹脂製のピラートリムと一体的に形成される一方、前記ガイド部は金属製である、ことを特徴としたものである。
【００１２】
また更に、本願の第４の発明は、前記第１から第３の何れか一の発明において、前記ピラートリムは、互いに別体に形成された上部トリムと下部トリムとで構成され、前記アンカー部材は、ピラー構造体の前記上部トリムが覆う部分に設置されており、前記ウエビングは、前記下部トリムと上部トリムとの連結部またはその近傍に形成された開口を介して、ピラートリムとピラー構造体との間の前記空間から車室内に延出し、前記上部トリムよりも車室側を上部トリムの長手方向に沿って前記ウエビング支持部まで延びる、ことを特徴としたものである。
【００１３】
また更に、本願の第５の発明は、前記第１から第４の何れか一の発明において、前記車載部品は、車体ルーフ及びその近傍に設置され、車両が所定条件のときに乗員保護用エアバッグを展開させるエアバッグ装置である、ことを特徴としたものである。
【発明の効果】
【００１４】
本願の第１の発明によれば、ハーネスは、シートベルト装置のアンカー部材のガイド部とピラー構造体との間で上下方向に延設されるとともに、衝撃吸収材との干渉を回避する所定空間部を通りながら全体として上下方向に配設されるので、中間ピラーの前記衝撃吸収材による衝撃吸収性を損なうことなく、また、前記アンカー部材等のシートベルト機構の機能や収容性を損なうことなく、前記中間ピラー内にハーネスを支障なく配設することができる。
【００１５】
また、本願の第２の発明によれば、前記第１の発明と同様の作用効果を奏することができ、特に、前記ガイド部は、乗員が当該ガイド部またはウエビング支持部に当接した際には車室外方へ変位して衝撃吸収可能となるように、ピラー構造体から所定距離以上離間して設置されるので、中間ピラーの衝撃吸収性をより高めることができ、しかも、ガイド部のピラー構造体からの離間による両者間の空間を利用してハーネスを配設することができる。この場合、このような大きな空間にハーネスを配設することができるため、乗員がウエビング支持部の高さを調整する際に、ハーネスとウエビング支持部との干渉を抑制できる。
【００１６】
更に、本願の第３の発明によれば、前記第１又は第２の発明と同様の作用効果を奏することができ、特に、ピラートリムは合成樹脂製であり、衝撃吸収材はこの合成樹脂製のピラートリムと一体的に形成される一方、前記ガイド部は金属製であるので、乗員が比較的大きな衝撃を伴って中間ピラーに当接した際には、金属製のガイド部よりも樹脂製のピラートリム及びこれと一体的な衝撃吸収材がより大きく変形して効果的に衝撃吸収を行うことにより、比較的変形の小さい金属製のガイド部とピラー構造体との間に配設されたハーネスを有効に保護することができる。
【００１７】
また更に、本願の第４の発明によれば、前記第１から第３の何れか一の発明と同様の作用効果を奏することができ、特に、ウエビングは、下部トリムと上部トリムとの連結部またはその近傍に形成された開口を介して、ピラートリムとピラー構造体との間の前記空間から車室内に延出し、前記上部トリムよりも車室側を上部トリムの長手方向に沿って前記ウエビング支持部まで延びるので、前記開口よりも上方においてはウエビングとハーネスとの間にピラートリムを介在させることができるので、ウエビングとハーネスが干渉することを確実に防止できる。
【００１８】
また更に、本願の第５の発明によれば、車体ルーフ及びその近傍に設置され、車両が所定条件のときに乗員保護用エアバッグを展開させるエアバッグ装置へ信号を供給するハーネスを配設するに際して、前記第１から第４の何れか一の発明と同様の作用効果を奏することができる。
【発明を実施するための最良の形態】
【００１９】
以下、本発明の実施形態を添付図面に基づいて詳細に説明する。
図１は、本発明の一実施形態に係る自動車の車体側部およびフロア部の構造を部分的に示す斜視図である。尚、この図１では、車体の右側部のみが示されているが、車体左側部についても、右側と左右対称であるが基本的には同様に構成されている。以下においては、主として車体右側部を例にとって説明するが、この説明は左側部についても同様に当てはまるものである。
【００２０】
図１に示すように、前記自動車では、車体側部を構成するサイドパネル１のフロントドア用開口１Ｆとリヤドア用開口１Ｒとを仕切る中間ピラー部２が、サイドパネル１と一体的に形成されている。前記中間ピラー部２の上端側は、車体の左右側部の上端においてルーフ部（不図示）の左右側部を支持して車体前後方向に延びるルーフサイドレール部５に連結され、下端側は車体の左右側部の下端においてフロア部８（フロアパネル）の左右側部を支持して車体前後方向に延びるサイドシル部６に連結されている。前記中間ピラー部２は、サイドパネル１の外板と一体の外板（アウタパネル：図１では不図示）にピラー内板３（ピラーインナパネル）を組み合わせ、或いは更に、両者間に補強板（レーンフォースメント：不図示）を挟み込んで接合することで構成されている。
【００２１】
図２はピラートリムを取り外した状態での中間ピラー部の比較的上部を示す斜視図であり、図３はピラートリムを取り付けた状態での中間ピラーの比較的上部を示す正面図である。これらの図から分かるように、中間ピラー部２の車室側（つまり、ピラーインナパネル３の車室側）を、ピラートリム２２で覆って中間ピラー２０が構成されている。前記ピラートリム２２は、中間ピラー部２に対応する車室内装品としての役割を果たし得るもので、好ましくは合成樹脂材料を用いた成形加工によって製作されている。このピラートリム２２を中間ピラー部２の車室側に取り付けた状態で、ピラーインナパネル３とピラートリム２２とで空間部２５（トリム空間）が形成される。
【００２２】
前記中間ピラー部２は運転席（車体左側においては助手席）の略側方でやや後寄りに位置しており、この中間ピラー部２の比較的上部の適所に、運転席用の所謂三点式シートベルト装置のアンカー部としてのアジャスタユニット３０が取り付けられている。このアジャスタユニット３０は、後で詳しく説明するように、運転席に着座した乗員を拘束可能なウエビング１５を支持するものである。一方、中間ピラー部２の比較的下部の適所には、シートベルト装置の所謂プリテンショナー機構部１４が配置されている。このプリテンショナー機構部１４は、従来良く知られているものと同様のものである。これらアジャスタユニット３０の大部分及びプリテンショナー機構部１４は共に、中間ピラー２０の前記トリム空間２５内に収容される。
【００２３】
また、前記自動車には、車両の側突時あるいは横転時に車室内の乗員を保護するために、車室内の側部にエアバッグ本体１０をカーテン状に展開膨張させる、所謂カーテンエアバッグ装置が装備されている。前記エアバッグ本体１０は、その展開膨張時には、少なくとも、フロントドア及びリヤドアのウインドウガラス（共に不図示）並びに中間ピラー２０を含む車室側部の内側を覆うものである。
【００２４】
このカーテンエアバッグ装置のエアバッグ本体１０は、折り畳み状態で前記ルーフサイドレール部５に沿って配置されている。このエアバッグ本体１０にガスを供給するインフレータ１２は、エアバッグ本体１０の車体前後方向における略中央に設けられたガス供給口のできるだけ近くに配置することが好ましく、このため、本実施形態では、図２により詳しく示すように、ルーフサイドレール部５の車体前後方向における中央近く、つまり、中間ピラー２０の上端近傍に前記インフレータ１２が配置されている。
【００２５】
また、本実施形態では、より好ましくは、前記カーテンエアバッグ装置は、横転時や横転予知時にエアバッグ本体１０を作動させる横転対応のものとされており、インフレータ１２は、内部に所定の圧縮ガスを封入した円筒形のシリンダ構造とされている。
すなわち、このインフレータ１２は、車両中央に設置された横転検出センサ（不図示）によって車両の横転が検出あるいは横転が予知された場合に作動するように構成されている。従来公知のものと同様のものであるので詳細には説明しないが、横転検出センサが所定角度以上（例えば５〜３０度）の車体ロール角を検出した場合には、制御ユニットＣ（図１参照）が横転または横転予知と判断してインフレータ１２に作動信号を出力するようになっている。
【００２６】
前記制御ユニットＣは、前記カーテンエアバッグ装置や運転席用および助手席用のエアバッグ装置さらにはシートベルト装置のプリテンショナー１４等を含む車載部品の作動を制御し得るもので、衝突時にもその影響を最も受けにくい箇所として、例えば運転席と助手席の間のフロア部分に配置されている。尚、この制御ユニットＣは、好ましくは、例えば、ＣＰＵを含むマイクロコンピュータを主要部として構成されている。
【００２７】
本実施形態では、この制御ユニットＣから前記インフレータ１２に対して作動信号を供給するハーネスＷを配設するに際して、高価なハーネスＷの長さをできるだけ短くするために、前記中間ピラー２０の内部空間を利用するようにしている。以下、この中間ピラー２０を利用したハーネスＷの配設構造について説明する。
図４は、シートベルト装置のアンカー部材としてのアジャスタユニット３０の説明図であり、（ａ）は車室内側から見て示した斜視図、（ｂ）は車室外側から見て示した斜視図である。更に、図５は、前記アジャスタユニット３０から所謂Ｄリング３１と呼ばれる、シートベルトのショルダーアンカー用のウエビング支持部を取り外した状態を示す説明図であり、（ａ）は車室内側から見て示した斜視図、（ｂ）は車室外側から見て示した斜視図である。
【００２８】
図２及び図３から良く分かるように、中間ピラー部２の比較的上部の適所には、運転席に着座した乗員を拘束可能なシートベルト装置のウエビング１５を支持するアンカー部材としてのアジャスタユニット３０が取り付けられている。該アジャスタユニット３０は、図４から良く分かるように、ウエビング１５を挿通させて支持するウエビング支持部としての所謂Ｄリング３１と、上下方向に延びて前記Ｄリング３１の上下方向位置を調整可能とするガイド部としての上下位置調整機構４０とを備えている。尚、ピラーインナパネル３には、ウエビング１５の引き出し動作および巻き取り動作を案内するために所定幅の凹状ガイド溝３ｇが上下方向に延設されている。このような凹状の溝部３ｇを設けることにより、ピラーインナパネル３の剛性の向上にも寄与することができる。
【００２９】
この上下位置調整機構４０は、図５から良く分かるように、中間ピラー部２のピラーインナパネル３上に上下方向へ延設されて固定されるロアレール４１と、該ロアレール４１よりも車室内側に配置されロアレール４１に対して上下方向へスライド可能に支持されたアッパレール４４と、該アッパレール４４の車室内側に固定されたスライダ４５とを備え、該スライダ４５に、前記Ｄリング３１をボルト３６（図２参照）により締結固定するためのボス部４６が設けられている。このボス部４６は、Ｄリング３１の取付後にプラスチックカバー３７（図５参照）で覆われる。
【００３０】
前記ロアレール４１には、上下方向に配列された複数の穴部４１ｈが形成されており、アッパレール４４の背面側に設けられた位置決め突起４４ｐが、前記複数の穴部４１ｈの何れかに嵌合することで、アッパレール４４の（つまり、スライダ４５及びＤリング３１の）上下方向位置が定まることになる。スライダ４５には、前記位置決め突起４４ｐの穴部４１ｈに対する嵌合状態を解除する解除ボタン３２が設けられており（図４参照）、この解除ボタン３２を例えば押下操作することで前記嵌合状態を解除し、スライダ４５を上下方向へスライドさせ、位置決め突起４４ｐを他の穴部４１ｈに嵌合させることにより、スライダ４５に固定されたＤリング３１の上下方向位置を調整することができる。前記解除ボタン３２は、位置調整を行っていない通常時には、プラスチック製のキャップ３８で覆われている。尚、かかる上下位置調整機構４０の構造および機能は、従来公知のものと同様のものである。
【００３１】
前記ロアレール４１は、それぞれ車室外方へ突き出す上下の取付脚部４２，４３を備えている。下側取付脚部４３の端末部４３ｂは、ピラーインナパネル３に設けられた車体前後方向の溝部３ｓ（図２参照）に係合され、この係合状態で、上側取付脚部４２の端末部４２ｂがボルト部材４９を用いてピラーインナパネル３に締結固定されることにより、ロアレール４１がピラーインナパネル３上に固定される。このとき、ロアレール４１は、その上下の取付脚部４２，４３の高さに相当する距離だけ、ピラーインナパネル３の表面から離間して設置されることになる。本実施形態では、この離間量を例えば１０ｍｍ〜３０ｍｍに設定した。
【００３２】
従って、乗員が前記アジャスタユニット３０に（つまり、上下位置調整機構４０またはＤリング３１に）ぶつかった際には、上下位置調整機構４０は、ロアレール４１がピラーインナパネル３表面から離間している距離に応じて、車室外方へ変位することができる。これにより、中間ピラー２０の衝撃吸収性をより高めることができる。
また、後述するように、ロアレール４１のピラーインナパネル３からの離間による両者４１，３間の空間を利用してハーネスＷ（直径が例えば約５ｍｍ程度）を配設することができる。この場合、このような大きな空間にハーネスＷを配設することができるため、乗員がＤリング３１の高さを調整する際に、ハーネスＷと上下位置調整機構４０との干渉を抑制できる。尚、ロアレール４１のピラーインナパネル３からの離間量をできるだけ大きく設定することで、乗員がアジャスタユニット３０に（つまり、上下位置調整機構４０またはＤリング３１に）当接した際に、これらが移動してハーネスＷと干渉することを抑制できる。
【００３３】
本実施形態では、上述のように、ロアレール４１にそれぞれ所定高さを有する上下の取付脚部４２，４３を設けることで、ロアレール４１をピラーインナパネル３から離間させるようにしているが、この代わりに、ロアレールを平坦に形成し、ピラーインナパネルに所定高さの取付基部を設けることで、同様の作用効果を奏するように構成することもできる。
【００３４】
前記ロアレール４１，アッパレール４４及びスライダ４５は何れも、例えば鋼板等の金属製であり、これに対してピラートリム２２は前述のように合成樹脂製である。後述する図６及び図７に示されるように、この合成樹脂製のピラートリム２２の裏面側（車室外側）に、乗員がピラートリム２２に当接した際の衝撃を吸収する衝撃吸収材としての複数のリブＲが一体的に形成されている。これらリブＲは、ピラートリム２２の裏面側にて、水平方向に延び車室外方へ所定量だけ張り出している。このリブＲの車室外方への張り出し量は、ピラートリム２２がピラーインナパネル３を覆った状態で、リブＲの先端とピラーインナパネル３との間隔がハーネスＷの直径よりも大きく確保されるように設定されている。
【００３５】
かかるリブＲは、ピラートリム２２の裏面側に形成されているので、中間ピラー部２のピラーインナパネル３を覆って装着された際には、ピラートリム２２とピラーインナパネル３との間に形成されたトリム空間２５内に位置することになる。尚、前記リブＲは、より好ましくはピラートリム２２の成形時に一体成形されるが、トリム本体とは別途に成形したリブを接着や溶着などによってトリム本体の裏面側に後付けすることもできる。
【００３６】
このように、ピラートリム２２を合成樹脂製とされ、衝撃吸収を行うリブＲがこの合成樹脂製のピラートリム２２と一体的に形成されており、上下位置調整機構４０は金属製とされているので、乗員が比較的大きな衝撃を伴って中間ピラー２０にぶつかった際には、金属製の上下位置調整機構４０よりも樹脂製のピラートリム２２及びこれと一体的なリブＲがより大きく変形して効果的に衝撃吸収を行うことで、比較的変形が小さい金属製の上下位置調整機構４０とピラーインナパネル３との間に配設されたハーネスＷを有効に保護することができる。
【００３７】
前記ピラートリム２２は、樹脂成形品としては比較的大型のものであるので、本実施形態では、成形および取り扱いを容易化する等の観点から、互いに別体の上部トリム２３と下部トリム２４とに分割した構成としている。これら上部トリム２３及び下部トリム２４は、それらが覆う中間ピラー部２の形状に対応して、上部トリム２３は比較的幅が狭く、下部トリム２４は比較的幅広に形成されている。また、乗員が中間ピラー２０にぶつかった場合に、特に乗員の頭部をより有効に保護する観点から、衝撃吸収材としての前記リブＲは主として上部トリム２３に設けられている。
【００３８】
前記アジャスタユニット３０は、ピラーインナパネル３の前記上部トリム２３が覆う部分に設置されており、この上部トリム２３と下部トリム２４との連結部またはその近傍には、トリム空間２５内から車室内へウエビング１５を引き出す開口部２２Ｈが形成されている。プリテンショナー機構部１４から延出したウエビング１５は、前記開口部２２Ｈを介してトリム空間２５内から車室内へ延出し、上部トリム２３よりも車室側を該上部トリム２３の長手方向（上下方向）に沿ってＤリング３１まで延びる。そして、このＤリング３１のスロット３１ｓを挿通した上で下方へ向かって折り返すようになっている。
【００３９】
つまり、ウエビング１５は、前記開口部２２Ｈから車室内に引き出された後は、上部トリム２３よりも車室側を上部トリム２３に沿って上方に延びＤリング３１に至るので、前記開口部２２Ｈよりも上方においては、ウエビング１５とハーネスＷとの間に上部トリム２３を介在させることができるので、ウエビング１５とハーネスＷとが干渉することが確実に防止できる。
【００４０】
図６は、前記中間ピラー内へのハーネスの配設構造を示す正面図である。また、図７は、図６におけるＹ７−Ｙ７線に沿った縦断面図である。これらの図に示すように、ハーネスＷは、アジャスタユニット３０の上下位置調整機構４０とピラーインナパネル３との間では、上下位置調整機構４０のロアレール４１がピラーインナパネル３から離間して形成された空間部を利用して上下方向に延設される。
【００４１】
本実施形態では、ハーネスＷの直径は５ｍｍ程度であり、前記の離間量が１０ｍｍ〜３０ｍｍに設定されている。従って、この領域では、ハーネスＷがアジャスタユニット３０の部品等と干渉するおそれはなく、容易にハーネスＷを配設することができる。
また、この領域では、前述のように、ロアレール４１のピラーインナパネル３からの離間量をできるだけ大きく設定することで、乗員がアジャスタユニット３０を操作してＤリング３１の高さを調整する際に移動するＤリング３１を連結するアッパレール４４が、ハーネスＷと干渉することを抑制できる。
【００４２】
尚、ロアレール４１の上側取付脚部４２の端末部４２ｂの近傍では、この端末部４２ｂとの干渉を回避するために、ハーネスＷは前記端末部４２ｂよりも若干後方を通るように取り回されている。この場合、ハーネスＷは、ピラーインナパネル３の車室側に隆起する土手部３ｄ（図２参照）を越える際には、図６に示す側面視で、リブＲと重ならないように配置されており、ハーネスＷとリブＲとの干渉をより防止できる。
また、ロアレール４１の下側取付脚部４３の端末部４３ｂの近傍においても、この端末部４３ｂとの干渉を回避するために、ハーネスＷは、ピラーインナパネル３の土手部３ｄを越える際に、前記端末部４３ｂよりも後方を通るように取り回されるが、この場合には、リブＲとの干渉を回避するために、隣り合うリブＲの間の空間を通るようにハーネスＷを水平方向に方向変換し、リブＲの比較的後部に取り回した上で、該リブＲの先端とピラーインナパネル３との間を通って下方へ延設されるようになっている。
【００４３】
尚、この場合において、ハーネスＷと中間ピラー２０の内部の機構や部材との干渉を回避するに際し、ハーネスＷを中間ピラー２０内の比較的後部に取り回すようにしたのは、中間ピラー２０と運転席（或いは助手席）との位置関係により、中間ピラー２０の後部の方が前部よりも、衝撃吸収性が特に必要とされる頻度あるいは可能性が低いと考えられるからである。
【００４４】
以上、説明したように、本実施形態によれば、ハーネスＷは、シートベルト装置のアジャスタユニット３０の上下位置調整機構４０とピラーインナパネル３との間で上下方向に延設されるとともに、ピラートリム２２の衝撃吸収用のリブＲとの干渉を回避する所定空間部を通りながら全体として上下方向に配設されるので、中間ピラー２０のリブＲによる衝撃吸収性を損なうことなく、また、アジャスタユニット３０等のシートベルト機構の機能や収容性を損なうことなく、中間ピラー２０内にハーネスＷを支障なく配設することができる。
【産業上の利用可能性】
【００４５】
本発明は、ピラー構造体とピラートリムとの間の空間内に衝撃吸収材が配置されてなる中間ピラー内にハーネスを配設するハーネス配設構造に関し、例えば、所謂カーテンエアバッグ装置のインフレータへ信号を供給するハーネスを中間ピラーを利用して配設する場合などに有効に利用でき、中間ピラーのシートベルト機構の収容性や衝撃吸収性を損なうことなく、中間ピラー内にハーネスを支障なく配設できるようになる。
【００４６】
尚、以上の説明は、中間ピラーを利用して所謂カーテンエアバッグ装置のインフレータへ信号を供給するハーネスを配設する場合についてのものであったが、本発明は、かかる場合に限定されるものではなく、中間ピラーを利用するものであれば、他の車載部品用のハーネスを配設する場合においても有効に適用できるものである。
このように、本発明は、前記実施形態に限定されるものではなく、その要旨を逸脱しない範囲内において、種々の変形や改良が行い得るものであることは言うまでもない。
【図面の簡単な説明】
【００４７】
【図１】本発明の一実施形態に係る自動車の車体側部およびフロア部の構造を部分的に示す斜視図である。
【図２】ピラートリムを取り外した状態での中間ピラー部の比較的上部を示す斜視図である。
【図３】ピラートリムを取り付けた状態での中間ピラーの比較的上部を示す正面図である。
【図４】シートベルト装置のアジャスタユニットの説明図で、（ａ）は車室内側から見て示した斜視図、（ｂ）は車室内側から見て示した斜視図である。
【図５】アジャスタユニットからＤリングを取り外した状態を示す説明図で、（ａ）は車室内側から見て示した斜視図、（ｂ）は車室内側から見て示した斜視図である。
【図６】前記中間ピラー内へのハーネスの配設構造を示す正面図である。
【図７】図６におけるＹ７−Ｙ７線に沿った縦断面図である。
【符号の説明】
【００４８】
１  サイドパネル
２  中間ピラー部
３  ピラーインナパネル（ピラー構造体）
１０  エアバッグ本体
１２  インフレータ（車載部品）
１５  ウエビング
２０  中間ピラー
２２  ピラートリム
２２Ｈ  開口部
２３  上部トリム
２４  下部トリム
３０  アジャスタユニット（アンカー部材）
３１  Ｄリング（ウエビング支持部）
４０  上下位置調整機構（ガイド部）
４１  ロアレール
４４  アッパレール
４５  スライダ
Ｃ  制御ユニット
Ｒ  リブ（衝撃吸収材）
Ｗ  ハーネス
【図１】
2008247238.tif 000003
【図２】
2008247238.tif 000004
【図３】
2008247238.tif 000005
【図４】
2008247238.tif 000006
【図５】
2008247238.tif 000007
【図６】
2008247238.tif 000008
【図７】
2008247238.tif 000009